(57)【要約】      （修正有）【課題】省スペース、低コストを維持しつつ、衝撃が作用した際の構成部材の変形を防止し、構成部材の脱落を防止でき、耐衝撃性能を向上する。【解決手段】光ディスク装置は、メインフレームと、媒体駆動部と、媒体駆動部を昇降自在に支持した昇降保持部材２４と、昇降保持部材と係合したカムを有し、移動に応じて昇降保持部材を昇降させる摺動部材と、を有している。昇降保持部材は、一対のアーム部２４ａ、２４ｂと、アーム部の一端部間を延びているとともに前壁と対向した連結部２４ｃと、アームの他端部に設けられ側壁に支持された支点部２３ａ、２３ｂと、連結部から前壁側に突出しカムと係合した係合ピン２６ａと、係合ピンに形成され昇降保持部材が上昇位置に移動した際、摺動部材と係合して係合ピンと摺動部材とを係合状態に維持するフック２７と、を有している。【選択図】図７
2009087392.tif 000002
【特許請求の範囲】
【請求項１】
対向した一対の側壁と、前記側壁間を延びた前壁とを有するメインフレームと、
ディスク状の記録媒体を支持および回転するモータと、前記記録媒体に対して情報処理を行うヘッド部とを有し、前記記録媒体を駆動する駆動位置と、前記記録媒体の装填および取出しを許容する退避位置と、の間を昇降可能に設けられた媒体駆動部と、
前記媒体駆動部を支持するとともに、前記駆動位置に対応する上昇位置と前記退避位置に対応する下降位置との間を昇降可能に前記メインフレームに支持された昇降保持部材と、
前記前壁に移動自在に設けられているとともに前記昇降保持部材と係合したカムを有し、移動に応じて前記昇降保持部材を昇降させる摺動部材と、を備え、
前記昇降保持部材は、それぞれ前記側壁と対向して延びた一対のアーム部と、アーム部の一端部間を延びているとともに前記前壁と対向した連結部と、前記アーム部の他端部に設けられ前記側壁に支持された支点部と、前記連結部から前記前壁側に突出し前記カムと係合した係合ピンと、前記係合ピンに形成され前記昇降保持部材が前記上昇位置に移動した際、前記摺動部材と係合して前記係合ピンと摺動部材とを係合状態に維持するフックと、を有している光ディスク装置。
【請求項２】
前記摺動部材のカムは、前記摺動部材に形成されたカム溝を有し、前記カム溝は、摺動部材の移動方向に沿って延びた第１溝部と、第１溝部から斜めに延出した傾斜溝部と、傾斜溝部から前記摺動部材の移動方向に沿って延びた第２溝部と、を有し、
前記昇降保持部材の係合ピンは、前記昇降部材が下降位置にある際、前記カム溝の第１溝部に係合し、前記昇降部材が上昇位置にある際、前記カム溝の第２溝部に係合するとともに第２溝部を貫通し、前記フックは、前記係合ピンの延出端から突出し、前記昇降部材が上昇位置にある際、前記第２溝部の近傍で前記摺動部材に対向している請求項１に記載の光ディスク装置。
【請求項３】
前記フックは、前記係合ピンが前記傾斜溝部内を移動する際、この傾斜溝部内に位置する向きに形成されている請求項２に記載の光ディスク装置。
【請求項４】
前記摺動部材は、前記カムと平行に形成された他のカムを有し、前記昇降部材は、前記連結部から前記連結部から前記前壁側に突出し前記他のカムと係合する他の係合ピンを有し、前記係合ピンおよび他の係合ピンは前記連結部の延出方向に沿って互いに並んで設けられている請求項１に記載の光ディスク装置。
【請求項５】
前記昇降保持部材は、前記他の係合ピンに形成され前記昇降保持部材が前記上昇位置に移動した際、前記摺動部材と係合して前記他の係合ピンと摺動部材とを係合状態に維持するフックを備えている請求項４に記載の光ディスク装置。
【請求項６】
前記記録媒体を保持し、前記メインフレームの外部に突出する装填取出し位置と、前記メインフレーム内の所定位置で前記記録媒体を駆動可能な動作位置との間を移動可能に前記メインフレームに設けられた記録媒体保持体と、
前記記録媒体保持体が移動する間、前記昇降保持部材を退避位置に移動させ、前記記録媒体保持体が動作位置に移動した際、前記昇降保持部材および媒体駆動部を駆動位置に移動させる移動機構と、を備え、前記移動機構は、前記前壁部に前記側壁と交差する方向に沿って移動可能に設けられた前記摺動部材と、摺動部材を移動させる駆動源と、を有している請求項１に記載の光ディスク装置。
【発明の詳細な説明】
【技術分野】
【０００１】
この発明は、ディスク状の記録媒体に対して情報処理を行う光ディスク装置に関する。
【背景技術】
【０００２】
近年、ディスク状の記録媒体として、ＤＶＤ−ＲＯＭに代表される再生専用タイプ、ＤＶＤ−Ｒに代表される１回記録タイプ、ならびにコンピュータの外付けメモリや録再ビデオに利用可能なＤＶＤ−ＲＡＭおよびＤＶＤ−ＲＷに代表される書き換え可能タイプ等の光ディスクが広く普及している。
【０００３】
光ディスクに情報を記録し、または光ディスクから情報を再生する光ディスク装置は、ディスク挿入口を有した筐体と、光ディスクを支持し、筐体に対して光ディスクを装填および排出するディスクトレイと、を備えている。ディスクトレイは、光ディスクを装填および取出し可能な引出し位置と、筐体内に引き込まれ光ディスクを駆動可能な駆動位置との間を移動可能に設けられている。
【０００４】
筐体内には、装填された光ディスクを支持および回転させるモータ、および光ディスクに対して情報を読み出し、書き込みを行う光ピックアップ等が配設されている。モータおよびピックアップは、トラバースシャーシ上に設けられている。トラバースシャーシの一端部には枢軸として機能するボスが設けられ、このボスにより筐体内に回動自在に支持されている。また、トラバースシャーシの他端部にはカムピンが立設されている。このカムピンは、筐体に摺動自在に設けられたカム部材のカム溝に係合している。そして、カム部材を往復移動させることにより、トラバースシャーシはボスの周りで、下降位置と上昇位置との間を回動される（例えば、特許文献１参照）
ディスクトレイが移動する間、トラバースシャーシは下降位置に退避され、光ディスクが所定の駆動位置に引き込まれると、トラバースシャーシが上方に回動される。これにより、モータが上昇してディスクをクランプするとともに、光ピックアップが光ディスクの記録面と対向する。
【０００５】
上記のような光ディスク装置において、落下時のような大きな衝撃が作用し、例えば、トラバースシャーシが変形した場合、各部材と筐体との係合あるいは他の部材同士の係合が外れ、動作不良を生じる可能性がある。そのため、衝撃を受けた場合でも、部材の位置ずれ、外れ、損傷等を防止し、信頼性の向上を図る必要がある。  
そこで、上記光ディスク装置では、トラバースシャーシのボスの先端近傍に突起を形成し、筐体からのボスの脱落を防止している。
【特許文献１】特開２００４−１６４７２１号公報
【発明の開示】
【発明が解決しようとする課題】
【０００６】
しかしながら、衝撃あるいは負荷を受けてトラバースシャーシが変形した場合、トラバースシャーシのカムピンがカム部材から脱落し、トラバースシャーシの昇降動作ができなくなるおそれがある。また、カムピンがカム部材から脱落する際、カム部材あるいはカムピンが損傷する。このようなトラバースシャーシの変形を防止するため、部材の厚み等を大きくするなどして補強する、またカムピンとカム部材との係合長を長くするなどが考えられるが、これは部品の大型化となり、装置の大型化、製造コストの増加を招く要因となる。
【０００７】
この発明は以上の点に鑑みなされたもので、その目的は、省スペース、低コストを維持しつつ、衝撃が作用した際の構成部材の変形を防止し、構成部材の脱落を防止でき、耐衝撃性能が向上した光ディスク装置を提供することにある。
【課題を解決するための手段】
【０００８】
この発明の態様に係る光ディスク装置は、対向した一対の側壁と、前記側壁間を延びた前壁とを有するメインフレームと、ディスク状の記録媒体を支持および回転するモータと、記録媒体に対して情報処理を行うヘッド部とを有し、前記記録媒体を駆動する駆動位置と、前記記録媒体の装填および取出しを許容する退避位置と、の間を昇降可能に設けられた媒体駆動部と、前記媒体駆動部を支持しているとともに、前記駆動位置に対応する上昇位置と前記退避位置に対応する下降位置との間を昇降可能に前記メインフレームに支持された昇降保持部材と、前記前壁に移動自在に設けられているとともに前記昇降保持部材と係合したカムを有し、移動に応じて前記昇降保持部材を昇降させる摺動部材と、を備え、  
前記昇降保持部材は、それぞれ前記側壁と対向して延びた一対のアーム部と、アーム部の一端部間を延びているとともに前記前壁と対向した連結部と、前記アームの他端部に設けられ前記側壁に支持された支点部と、前記連結部から前記前壁側に突出し前記カムと係合した係合ピンと、前記係合ピンに形成され前記昇降保持部材が前記上昇位置に移動した際、前記摺動部材と係合して前記係合ピンと摺動部材とを係合状態に維持するフックと、を有している。
【発明の効果】
【０００９】
この発明の態様によれば、省スペース、低コストを維持しつつ、衝撃が作用した際の構成部材の変形を防止し、構成部材の脱落を防止でき、耐衝撃性能が向上した光ディスク装置を提供することができる。
【発明を実施するための最良の形態】
【００１０】
以下、図面を参照しながら、この発明の実施形態に係る光ディスク装置について詳細に説明する。  
図１は、本実施形態に係る光ディスク装置のトップカバーを取り外して光ディスク装置の外観構造を示し、図２は、後述するディスクトレイを省略して光ディスク装置の内部構造を示している。図３は、光ディスク装置のメインフレームを示している。
【００１１】
図１および図２に示すように、光ディスク装置は、筐体を構成する上面が開口した矩形箱状のメインフレーム１１を備えている。メインフレーム１１内には、記録媒体としての光ディスク８を保持し搬送するディスクトレイ２０、光ディスクを支持および回転する昇降自在なディスク駆動部２２、およびディスクトレイおよびディスク駆動部を移動させる移動機構５０が設けられている。メインフレーム１１の底面には、制御部を構成する図示しない回路基板が実装されている。
【００１２】
図２および図３に示すように、メインフレーム１１は、間隔をおいて互いに平行に対向した一対の側壁１１ａ、１１ｂ、これらの側壁間を延びた後壁１１ｃおよび前壁部１１ｄを一体に備え、ＡＢＳ等の合成樹脂により形成されている。一対の側壁１１ａ、１１ｂの各内面側には、後述するシャーシマウント２４の支点部を回動自在に支持する係合凹所１５ａ、１５ｂが形成されている。メインフレーム１１の後壁１１ｃの内側に位置した２つの角部には、ディスク駆動部２２を支持する一対の支持ポスト１２が設けられている。
【００１３】
前壁部１１ｄは、側壁１１ａ、１１ｂの前端部間を延び、後壁１１ｃとほぼ平行に対向している。前壁部１１ｄには、矩形状の開口からなるディスク挿入口１４が形成されている。また、前壁部１１は、移動機構５０を取り付ける取り付け部を構成している。すなわち、前壁部１１ｄには、ギア支点ボス１３ａ、プーリーギア支点ボス１３ｂ、モータ取り付け部１３ｃ、および後述するカムスライダを移動自在に支持するスライド溝１３ｄが形成されている。
【００１４】
図４は、記録媒体保持体として機能するディスクトレイ２０の裏面側および移動機構５０とディスクトレイとの係合状態を示している。図５（ａ）は、ディスクトレイが動作位置に引き込まれた状態を示す光ディスク装置の断面図、図５（ｂ）は、ディスクトレイが装填取出し位置に移動した状態を示す光ディスク装置の断面図である。
【００１５】
図１および図４に示すように、ディスクトレイ２０はほぼ矩形板状に形成され、その一部には、光ディスク８に対するディスク駆動部２２のアクセスを許容する窓部２１が形成されている。ディスクトレイ２０は、側壁１１ａ、１１ｂ間に配置され、側壁と平行な方向に沿って、つまり、メインフレーム１１の長手方向（移動方向Ａ）に沿って移動可能に支持されている。ディスクトレイ２０の裏面には、ラック２３が形成されディスクトレイの長手方向のほぼ全長に渡って延びている。このラック２３は、後述する移動機構５０のトレイギア５６ａと歯合している。
【００１６】
ディスクトレイ２０は、メインフレーム１１内の所定位置に引き込まれた図５（ａ）および図１に実線で示す作動位置と、ディスク挿入口１４を通して筐体１０の外部に突出する図５（ｂ）および図１に２点鎖線で示す装填取出し位置との間を直線的に移動可能に支持され、移動機構５０により、これら作動位置と装填取出し位置との間を移動される。作動位置において、ディスクトレイ２０はディスク駆動部２２の上方に重なって位置し、ディスクトレイ２０に保持された光ディスク８はディスク駆動部２２によって駆動可能となる。装填取出し位置において、ディスクトレイ２０に対して光ディスク８の装填および取出しが可能となる。
【００１７】
図６は、光ディスク装置のディスク駆動部２２、移動機構５０、およびシャーシマウント２４を示す分解斜視図であり、図７および図８はシャーシマウントをそれぞれ示している。
【００１８】
図２、図３、図６および図７に示すように、メインフレーム１１には、ディスク駆動部２２を昇降自在に支持するシャーシマウント２４が設けられている。シャーシマウント２４は、ほぼＵ字形状に形成され、メインフレーム１１に回動自在に取り付けられている。昇降保持部材として機能するシャーシマウント２４は、間隔をおいて互いに平行に対向した一対のアーム部２４ａ、２４ｂと、アーム部と直交してアーム部の一端部間を延びているとともにアーム部の先端同士を連結した連結部２４ｃとを有している。
【００１９】
アーム部２４ａ、２４ｂの後端部には、それぞれ回動支点部となる枢軸２３ａ、２３ｂが形成され、アーム部から外側に突出している。シャーシマウント２４の各角部の内側には、ディスク駆動部２２を支持する一対の支持ポスト２５が設けられている。シャーシマウント２４は、移動機構５０の後述するスライドカムと係合する一対の係合ピン２６ａ、２６ｂを有している。これらの係合ピン２６ａ、２６ｂは、連結部２４ｃの中央部から前方に突出しているとともに、連結部の延出方向に沿って互いに離間して位置している。
【００２０】
図７および図８に示すように、一対の係合ピン２６ａ、２６ｂの内、少なくとも一方の係合ピン、ここでは、係合ピン２６ａには、フック２７が一体に形成されている。このフック２７は、係合ピン２６ａの延出端から径方向外方に向かって延出している。また、フック２７は、後述するカムスライダの傾斜カム部（傾斜溝部）に対応する角度に傾斜して設けられている。
【００２１】
シャーシマウント２４は、連結部２４ｃに形成されたガイドボス２９および押圧突起３０を一体に有している。ガイドボス２９および押圧突起３０は、シャーシマウント２４が後述する上昇位置に移動された際、メインフレーム側に設けられたガイド溝およびガイドリブとそれぞれ係合し、シャーシマウントのガタツキ、振動を防止する。ガイドボス２９は、落下衝撃荷重を受けても破損しない充分な強度を有している。
【００２２】
係合ピン２６ａ、２６ｂ、ガイドボス２９、および押圧突起３０を含むシャーシマウント２４は、例えば、メインフレーム１１よりも硬い樹脂により一体に成形されている。
【００２３】
図２に示すように、シャーシマウント２４は、メインフレーム１１の側壁１１ａ、１１ｂに設けられた係合凹所１５ａ、１５ｂに、枢軸２３ａ、２３ｂがそれぞれ回動自在に係合した状態で、メインフレームに取り付けられている。一対のアーム部２４ａ、２４ｂはそれぞれ側壁１１ａ、１１ｂと平行に延びている。連結部２４ｃは、枢軸２３ａ、２３ｂに対してディスク挿入口１４側に位置し、側壁１１ａ、１１ｂ間をこれら側壁と直交する方向に延びているとともにメインフレーム１１の前壁部１１ｄと隙間を置いて対向している。そして、シャーシマウント２４は枢軸２３ａ、２３ｂの回りで、上昇位置と下降位置との間を回動可能に支持され、連結部２４ｃは、シャーシマウント２４の上昇位置と下降位置との間の回動に伴い、昇降する。
【００２４】
図２および図６に示すように、ディスク駆動部２２は金属板で形成された矩形枠状のシャーシ２８を有している。シャーシ２８において長手方向の前端部には、駆動源としてのスピンドルモータ３２が取り付けられ、このスピンドルモータの回転軸には、光ディスク８を支持および所定の速度で回転するターンテーブル３３が固定されている。シャーシ２８には、互いに平行に延びた一対のガイドレール３４が取り付けられている。ガイドレール３４はメインフレーム１１の側壁１１ａ、１１ｂに対し僅かに傾斜して延びている。
【００２５】
ディスク駆動部２２は、光ディスク８に対して情報の書き込み、読み出しを行う光ピックアップ３６、および光ピックアップを移動させるピックアップ駆動機構３７を備えている。光ピックアップ３６は一対のガイドレール３４によりこれらのガイドレールに沿って往復移動可能に支持されている。ピックアップ駆動機構３７は、シャーシ２８上に取り付けられた送りモータ３８、および送りモータの回転軸に連結されたリードスクリュー３９を有している。リードスクリュー３９は、ガイドレール３４と平行に延びているとともに光ピックアップ３６と係合している。
【００２６】
ヘッド部として機能する光ピックアップ３６は、光ディスク８からの情報の読み出しおよび情報の書き込み時、ターンテーブル３３上に支持された光ディスク８の情報記録面と対向して位置し、ピックアップ駆動機構３７により、ガイドレール３４に沿って光ディスクの径方向に移動される。
【００２７】
シャーシ２８は、その長手方向一端側（後端側）の２つの角部が一対の第１ダンパ３０ａによりメインフレーム１１の後壁１１ｃの支持ポスト１２に弾性的に支持され、長手方向他端側（前端側）が一対の第２ダンパ３０ｂによりシャーシマウント２４の支持ポスト２５に支持されている。これにより、シャーシ２８は、４つのダンパ３０ａ、３０ｂによって弾性的に支持されている。
【００２８】
ディスク駆動部２２は、一対の第１ダンパ３０ａを支点として、図５（ａ）に示す上昇位置（駆動位置）と図５（ｂ）に示す下降位置（退避位置）との間をシャーシマウント２４と共に回動可能に、つまり、昇降可能に支持されている。シャーシ２８は、駆動位置において、ディスクトレイ２０とほぼ平行に位置し、退避位置において、第２ダンパ３０ｂ側の端部がディスクトレイ２０から下方に離間して位置する。
【００２９】
図２、図４、図６、および図９に示すように、ディスクトレイ２０およびディスク駆動部２２を移動させる移動機構５０は、メインフレーム１１の前壁部１１ｄに設けられディスクトレイ２０の下方に位置している。移動機構５０は、前壁部１１ｄのモータ取り付け部１３ｃに取り付けられた駆動源としてのローディングモータ５１、ローディングモータの回転軸に圧入されたプーリー５２、前壁部のプーリーギア支点ボス１３ｂに回転自在に取り付けられたプーリーギア５４、プーリー５２とプーリーギア５４に掛け渡された駆動ベルト５３、前壁部のギア支点ボス１３ａに回転自在に取り付けられプーリーギア５４と歯合した駆動ギア５６、およびカムスライダ５８を備えている。
【００３０】
駆動ギア５６の一方の表面上には、ディスクトレイ２０のラック２３と歯合するトレイギア５６ａが同軸的に形成され、他方の表面上には、カムスライダ５８のラックと歯合するカムギア５６ｂが同軸的に形成されている。ローディングモータ５１の回転軸、プーリー５２、プーリーギア５４、駆動ギア５６のそれぞれの回転軸は、ディスクトレイ２０の表面と直交する方向に延びている。
【００３１】
図６、図９、図１０に示すように、摺動部材として機能するカムスライダ５８は、ディスクトレイ２０の移動方向Ａと直行する方向Ｂに延びた細長い板状のカム板５８ａと、カム板から前方へ延出したガイド板５８ｂとを有し、合成樹脂等により一体に成形されている。カムスライダ５８は、カム板５８ａの下端部が前壁部１１ｄのスライド溝１３ｄ（図３参照）に係合した状態でメインフレーム１１に支持され、ディスクトレイ２０の移動方向Ａと直行する方向Ｂに沿って摺動可能に支持されている。カム板５８ａは、シャーシマウント２４の連結部２４ｃと対向して位置している。
【００３２】
ガイド板５８ｂの一端部には、カムギア５６ｂと歯合可能なラック６０が形成されている。そして、カムスライダ５８は、カムギア５６ｂにより駆動され、ディスクトレイ２０の移動に連動して移動方向Ｂに往復移動される。カム板５８ａには、カムとして機能する一対のカム溝６４、６５が形成されている。一対のカム溝６４、６５は互いに平行に形成されている。
【００３３】
各カム溝６４、６５は、移動方向Ｂに沿って水平に延びた第１溝部６４ａ、６５ａと、第１溝部から斜めに上方に向かって延びた傾斜溝部６４ｂ、６５ｂと、傾斜溝部の上端から移動方向Ｂに沿って水平に延びた第２溝部６４ｃ、６５ｃと、を有している。一方のカム溝６４の内、第１溝部６４ａおよび傾斜溝部６４ｂの第１溝部６４ａ側端部は、カム板５８ａを貫通し、カム板の両面に開口している。カム溝６４の他の部分およびカム溝６５は、カム板５８ａにより前面側が覆われ、底有の溝として形成されている。
【００３４】
カム板５８ａの一対のカム溝６４、６５には、シャーシマウント２４の連結部２４ｃに突設された一対の係合ピン２６ａ、２６ｂがそれぞれ摺動自在に係合している。そして、カムスライダ５８の移動に伴い、係合ピン２６がカム溝６４、６５内を移動し、その結果、シャーシマウント２４が昇降される。
【００３５】
移動機構５０のローディングモータ５１が駆動されると、プーリー５２から駆動ベルト５３を介してプーリーギア５４、駆動ギア５６へと動力が伝達され、カムスライダ５８が移動方向Ｂに移動される。カムスライダ５８の移動に伴ない、カム溝６４、６５に沿ってシャーシマウント２４の係合ピン２６が移動する。そして、シャーシマウント２４は、カムスライダ５８の移動に連動して、枢軸２３ａ、２３ｂを支点に回動し、昇降動作を行なう。これにより、ディスク駆動部２２は第１ダンパ３０ａを支点に回動し、シャーシマウント２４と共に昇降動作を行なう。
【００３６】
ディスクトレイ２０はトレイギア５６ａによって駆動され移動方向Ａに沿って移動される。ディスクトレイ２０が移動する間、ディスク駆動部２２はディスクトレイの移動を妨げないように、下降位置（退避位置）に移動される。
【００３７】
光ディスク駆動装置の動作状態あるいはローディング状態において、図５（ａ）、図１１、図１２、図１３に示すように、カムスライダ５８は第１位置に位置し、シャーシマウント２４の係合ピン２６ａ、２６ｂはカム溝６４、６５の第２溝部６４ｃ、６５ｃ内に位置している。これにより、シャーシマウント２４は上昇位置に保持され、ディスク駆動部２２は駆動位置（上昇位置）に保持されている。
【００３８】
シャーシマウント２４が上昇位置にある際、係合ピン２６ａは第２溝部６４ｃに係合しているとともに第２溝部を貫通し、係合ピン２６ａの先端部に突設されたフック２７は、第２溝部の近傍でカムスライダ５８の前面と隣接対向している。これにより、カムスライダ５８と係合ピン２６ａ、２６ｂとの係合を外す方向（後述するＧ方向）に、シャーシマウント２４の連結部２４ｃに後述する変形力が加わった場合でも、フック２７がカムスライダ５８に引っ掛かり、連結部２４ｃの変形が抑制されるとともにカム溝６４、６５からの係合ピン２６ａ、２６ｂの脱落が防止される。
【００３９】
また、係合ピン２６ａ、２６ｂの円柱部分は、カムスライダ５８の第２溝部６４ｃ、６５ｃ内にあり、シャーシマウント２４の枢軸２３ａ、２３ｂと協働し、シャーシマウントおよびディスク駆動部２２のローディング状態を維持する。
【００４０】
光ディスク装置に対して光ディスク８を装填あるいは取出しする場合、メインフレーム１１の前面に設けられた図示しないイジェクトボタンを押下すると、あるいは、光ディスク取出しの外部命令により、ローディングモータ５１が駆動され、カムスライダ５８が図１１に示す第１位置から図１４に示す第２位置に向かってＢ方向に移動される。カムスライダ５８の移動に連動して、シャーシマウント２４の係合ピン２６ａ、２６ｂがカム溝６４、６５内を第２溝部６４ｃ、６５ｃから傾斜溝部６４ｂ、６５ｂを通り第１溝部６４ａ、６５ａまで移動する。
【００４１】
図１５、図１６、図１７に示すように、係合ピン２６ａのフック２７は、傾斜溝部６４ｂに対応する角度に傾斜して設けられている。そのため、シャーシマウント２４の係合ピン２６ａ、２６ｂが傾斜溝部６４ｂ、６５ｂ内を移動する間、係合ピン２６ａに設けられたフック２７は、カムスライダ５８の表面と対向することなく、カム溝６４内に位置している。従って、この間、フック２７は、フックとしての機能を持たず、係合ピンがカム溝のどの位置にあったとしても、カムスライダ５８と接するのは円柱状のピン部分であり、係合ピンの本来の機能を損ねることはない。
【００４２】
傾斜溝部６４ｂ、６５ｂは、イジェクト動作移行あるいはローディング動作移行に関して、シャーシマウント２４を、所定のタイミングで昇降、下降動作させ、例えば、光ディスクのクランプ、クランプ解除による光ディスクの損傷を防止し、その動作に必要な動作負荷が過負荷にならないようコントロールする。
【００４３】
シャーシマウント２４の係合ピン２６ａ、２６ｂが第２溝部６４ａ、６５ａまで移動すると、シャーシマウント２４は上昇位置から図５（ｂ）、図１８に示す下降位置に移動され、下降位置に保持される。これに伴い、ディスク駆動部２２が駆動位置から退避位置に下降され、退避位置に保持される。
【００４４】
イジェクト状態、すなわち、ディスク駆動部２２が退避位置に移動した状態において、シャーシマウント２４の係合ピン２６ａに設けられたフック２７は、カムスライダの第１カム溝６４ａの中に配置される。フック２７を設けることによる装置全体に対するスペースの増加は、シャーシマウント２４の回動動作によって吸収することにより、フックを持たない場合と大差ないものに抑えることができる。
【００４５】
ディスク駆動部２２が退避位置に移動した後、ローディングモータ５１によりディスクトレイ２０が図１に示す実線で示す動作位置から図５（ｂ）および図１に２点鎖線で示す装填取出し位置に移動され、メインフレーム１１から外方に延出する。この状態で、ディスクトレイ２０に対して光ディスク８の装填あるいは取出しが可能となる。
【００４６】
ディスクトレイ２０に対して光ディスク８を装填した後、図示しないローディングスイッチが押されると、あるいは、光ディスク装填の外部命令が入力されると、ローディングモータ５１が反転駆動され、ディスクトレイ２０が移動機構５０により装填取出し位置から動作位置に移動される。これにより、光ディスク８はディスクトレイ２０と共にメインフレーム１１内に引き込まれ、所定位置に保持される。
【００４７】
ディスクトレイ２０が動作位置に移動した状態で、カムスライダ５８が第２位置から第１位置に向かって移動される。カムスライダ５８の移動に連動して、シャーシマウント２４の係合ピン２６ａ、２６ｂがカム溝６４、６５内を第１溝部６４ａ、６５ａから傾斜溝部６４ｂ、６５ｂを通って第２溝部６４ｃ、６５ｃまで移動する。これにより、シャーシマウント２４は下降位置から図１６、図１７に示す上昇位置に移動し、これに伴い、ディスク駆動部２２が退避位置から駆動位置に上昇し、駆動位置に保持される。
【００４８】
これにより、ディスクトレイ２０に載置されていた光ディスク８は、ディスク駆動部２２のターンテーブル３３と、図示しないトップカバーの内面に設けられたディスククランプ部材とによって挟まれ、回転自在に保持される。また、光ピックアップ３６は光ディスク８の情報記録面と対向して位置する。この状態で、スピンドルモータ３２によってターンテーブル３３および光ディスク８を所定の速度で回転し、光ピックアップ３６により光ディスク８に対して情報の書き込みあるいは読み出しを行う。
【００４９】
本発明者は、上記のように構成された光ディスク装置の衝撃試験を行った。衝撃試験は、ディスクトレイ、図示しない筐体等を具備した光ディスク装置の完成品で実施した。衝撃方向は図２における矢印Ｄ方向であり、ディスク駆動部２２の加速度測定点に加速度計を設置して測定した。
【００５０】
図１９は、衝撃値の測定データを示している。衝撃試験機に６ｍｓ、１００Ｇの正弦半波の衝撃値を設定し衝撃試験を実施すると、ディスク駆動部２２には、その３．４倍の３４０Ｇの衝撃値が発生した。ディスク駆動部２２の重量を２Ｎとすると、ディスク駆動部に作用する荷重は、３４０Ｇでは６８０Ｎとなる。
【００５１】
ディスク駆動部２２は、シャーシマウント２４の２箇所と、メインフレーム１１の２箇所との合計４箇所で支持される。そのため、シャーシマウント２４の２箇所の支持点にはそれぞれ１７０Ｎもの荷重が発生することになる。衝撃値がさらに増加し６ｍｓ、１５０Ｇになると、シャーシマウント２４の２箇所の支持点での荷重は比例して増加し、２３０Ｎ程度になることが確認された。
【００５２】
図２０は、上述した衝撃試験による衝撃値の測定データからシャーシマウント２４の変形を解析した結果を示す図である。６ｍｓ、１５０Ｇの衝撃時、シャーシマウント２４の２箇所の支持点には各２３０Ｎの荷重が加わり、その場合の連結部２４ｃのＧ方向に沿った変形量は２．２ｍｍという解析結果となった。
【００５３】
実試験において、本実施形態を採用していない光ディスク駆動装置では、６ｍｓ、１５０Ｇの衝撃値を受けると、シャーシマウント２４の係合ピンがカムスライダの昇降用カムから脱落し、動作不能となったが、本実施形態に係る光ディスク装置では、係合ピンがシャーシマウントのカムから脱落せず、機能を維持することができた。
【００５４】
以上のように構成された光ディスク装置によれば、シャーシマウントの係合ピンにフックを設けることにより、装置に落下衝撃等の大きな衝撃が作用し、シャーシマウントに変形力が発生した場合でも、フックによりカムスライダからの係合ピンの脱落を防止し、同時に、シャーシマウントの変形を抑制することができる。これにより、耐落下衝撃性能が向上し、シャーシマウント、カムスライダ等の構成部材の円滑な動作を維持することができ、信頼性の向上を図ることが可能となる。
【００５５】
また、シャーシマウントの各部が変形しないよう部材の厚み等を大きくして補強する、あるいは、係合ピンのカムとの係合長を長くするなど対策が必要なく、装置の大型化、製造コスト増加を生じることなく耐落下衝撃性能を上げることができる。
【００５６】
シャーシマウントのフックは、カムスライダの傾斜カム部（傾斜溝部）に対応する角度に傾斜して設けられている。そのため、前述のように、フックは、カムスライダの昇降用のカムと接することがなく、カム形状を特別な形状にすることなく係合ピンおよびフックを設計、配置することができる。従って、動作タイミングにも問題を発生することはない。更に、フックは係合ピンの先端部から径方向に突出した形状であり、組立時、従来と同様に、係合ピンをカムスライダのカム溝に容易に係合させることができる。
【００５７】
以上のことから、省スペース、低コストを維持しつつ、衝撃が作用した際の構成部材の変形を防止し、構成部材の脱落を防止でき、耐衝撃性能が向上した光ディスク装置が得られる。
【００５８】
上述した実施形態において、シャーシマウントの一方の係合ピンにフックを設けた構成としたが、これに限定されることはない。  
図２１および図２２に示すように、この発明の他の実施形態に係る光ディスク装置によれば、シャーシマウント２４は、連結部２４ｃの中央部から前方に延出した２つの係合ピン２６ａ、２６ｂを有している。係合ピン２６ａ、２６ｂの延出端には、それぞれフック２７ａ、２７ｂが一体に形成されている。これらのフック２７ａ、２７ｂは、係合ピン２６ａ、２６ｂから径方向に突出しているとともに、カムスライダ５８に設けられたカム、例えば、カム溝６４、６５の傾斜溝部の傾斜方向に合わせて形成されている。なお、フック２７ａ、２７ｂの傾斜方向は、傾斜溝部内に収まる範囲に設定されていればよい。
【００５９】
一対の係合ピン２６ａ、２６ｂは、カムスライダ５８のカム溝６４、６５内にそれぞれ係合されている。シャーシマウント２４が上昇位置にある際、係合ピン２６ａはカム溝６４の第２溝部に係合しているとともに第２溝部を貫通し、係合ピン２６ａの先端部に突設されたフック２７ａは、第２溝部の近傍でカムスライダ５８の前面と隣接対向している。同様に、係合ピン２６ｂはカム溝６５の第２溝部に係合しているとともに第２溝部を貫通し、係合ピン２６ｂの先端部に突設されたフック２７ｂは、第２溝部の近傍でカムスライダ５８の前面と隣接対向している。
【００６０】
これにより、カムスライダ５８と係合ピン２６ａ、２６ｂとの係合を外す方向に、シャーシマウント２４の連結部２４ｃに変形力が加わった場合でも、フック２７ａ、２７ｂがカムスライダ５８に引っ掛かり、連結部２４ｃの変形が抑制されるとともにカム溝６４、６５からの係合ピン２６ａ、２６ｂの脱落が防止される。
【００６１】
他の実施形態において、他の構成は前述した実施形態と同一であり、同一の部分には同一の参照符号を付してその詳細な説明を省略する。そして、他の実施形態においても、前述した実施形態と同様の作用効果を得ることができる。更に、他の実施形態によれば、２つのフックを設けることより、シャーシマウントの変形および係合ピンの脱落をより確実に防止することができ、耐落下衝撃性を一層向上することが可能となる。
【００６２】
なお、本発明は実施形態そのままに限定されるものではなく、実施段階ではその要旨を逸脱しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
各構成部材の形成材料、形状等は、上述した実施形態に限定されることなく、必要に応じて変更可能である。
【図面の簡単な説明】
【００６３】
【図１】図１は、この発明の実施形態に係る光ディスク装置をそのトップカバーを取り外して示す斜視図。
【図２】図２は、ディスクトレイを取り外した状態における前記光ディスク装置の内部構造を示す斜視図。
【図３】図３は、前記光ディスク装置のメインフレームを示す斜視図。
【図４】図４は、前記光ディスク装置のディスクトレイの裏面側およびシャーシマウントを示す斜視図。
【図５】図５は、ディスクトレイが動作位置に引き込まれた状態およびディスクトレイが装填取出し位置に引き出された状態をそれぞれ示す上記光ディスク装置の断面図。
【図６】図６は、ディスク駆動部、移動機構、シャーシマウントを示す分解斜視図。
【図７】図７は、前記光ディスク装置のシャーシマウントを示す斜視図。
【図８】図８は、前記シャーシマウントを示す正面図。
【図９】図９は、前記光ディスク装置のシャーシマウントおよびカムスライダを示す斜視図。
【図１０】図１０は、前記カムスライダを示す正面図。
【図１１】図１１は、第１位置および上昇位置におけるカムスライダおよびシャーシマウントを示す斜視図。
【図１２】図１２は、図１１の係合ピン部分を拡大して示す斜視図。
【図１３】図１３は、第１位置および上昇位置におけるカムスライダおよびシャーシマウントを示す断面図。
【図１４】図１４は、第２位置および下降位置におけるカムスライダおよびシャーシマウントを示す斜視図。
【図１５】図１５は、係合ピンがカム溝の傾斜溝部内に位置した状態を示すカムスライダおよびシャーシマウントの正面図。
【図１６】図１６は、図１５における係合ピンおよびカム溝の部分を拡大して示す正面図。
【図１７】図１７は、係合ピンがカム溝の傾斜溝部内に位置した状態を示すカムスライダおよびシャーシマウントを示す断面図。
【図１８】図１８は、第２位置および下降位置におけるカムスライダおよびシャーシマウントを示す断面図。
【図１９】図１９は、衝撃試験における測定結果を示す図。
【図２０】図２０は、前記衝撃試験による衝撃値の測定データからシャーシマウントの変形を解析した結果を示す図である。
【図２１】図２１は、この発明の他の実施形態に係る光ディスク装置のシャーシマウントを示す斜視図。
【図２２】図２２は、前記他の実施形態に係る光ディスク装置のシャーシマウントおよびカムスライダを示す斜視図。
【符号の説明】
【００６４】
８…光ディスク、１１…メインフレーム、１１ａ、１１ｂ…側壁、１１ｄ…前壁部、  
２０…ディスクトレイ、２２…ディスク駆動部、２４…シャーシマウント、  
２４ａ、２４ｂ…アーム部、２４ｃ…連結部、２６ａ、２６ｂ…係合ピン、  
２７、２７ａ、２７ｂ…フック、３２…スピンドルモータ、３６…光ピックアップ、  
５０…移動機構、５１…ローディングモータ、５８…カムスライダ、
６４、６５…カム溝、６４ａ、６５ａ…第１溝部、６４ｂ、６５ｂ…傾斜溝部、
６４ｃ、６５ｃ…第２溝部
【図１】
2009087392.tif 000003
【図２】
2009087392.tif 000004
【図３】
2009087392.tif 000005
【図４】
2009087392.tif 000006
【図５】
2009087392.tif 000007
【図６】
2009087392.tif 000008
【図７】
2009087392.tif 000009
【図８】
2009087392.tif 000010
【図９】
2009087392.tif 000011
【図１０】
2009087392.tif 000012
【図１１】
2009087392.tif 000013
【図１２】
2009087392.tif 000014
【図１３】
2009087392.tif 000015
【図１４】
2009087392.tif 000016
【図１５】
2009087392.tif 000017
【図１６】
2009087392.tif 000018
【図１７】
2009087392.tif 000019
【図１８】
2009087392.tif 000020
【図１９】
2009087392.tif 000021
【図２０】
2009087392.tif 000022
【図２１】
2009087392.tif 000023
【図２２】
2009087392.tif 000024